(57)【特許請求の範囲】
【請求項１】
方形のシート(1)を三分した左右の面(2,3)を内折りにして打ち合わせ、その上辺(4)を３枚重ねで融着ないし縫着して縦長封筒状に形成され、縫着ないし融着した上辺中央部に吊手(5)を備え、下辺側に封筒状にしたシートを外側から結束する結束具(8)を備え、当該結束具を解放することによりバッグ内の洗濯物が自重により落下する、洗濯物搬送バッグ。
【請求項２】
方形のシート(1)を三分した左右の面(2,3)を内折りにして打ち合わせ、その上辺(4)を３枚重ねで融着ないし縫着して縦長封筒状に形成され、縫着ないし融着した上辺中央部に吊手(5)を備え、３枚重ねの少なくとも一方の外側の面の下辺(6)の略中央部に下吊手(13)を備え、当該下吊手を下方にして吊手(5)を懸吊したときにバッグ中の洗濯物が落下する、洗濯物搬送バッグ。
【請求項３】
下吊手(13)が上吊手(5) より長い吊手である、請求項２記載の洗濯物搬送バッグ。
【発明の詳細な説明】
【０００１】
【発明の属する技術分野】
この発明は、汚れた洗濯物を収容して搬送するバッグに関するもので、洗濯工場の天井に配置したコンベアのフックに懸吊されて、洗濯物の搬入位置から洗濯機等への投入位置まで、汚れた洗濯物を搬送するために用いる搬送袋に関するものである。
【０００２】
【従来の技術】
洗濯物搬送バッグとして、図８に示す構造のものが多く使用されている。この従来構造のものは、２枚重ねにした長方形のシートの上辺４及び両側辺２、３を縫着ないし融着して、下辺が開いた縦長な封筒状とし、下辺６に設けた紐通し部に紐２１を通し、その紐２１を引っ張って巾着を閉じるように下辺の開口を絞って閉鎖する構造である。縫着ないし融着した上辺４の中央には、バッグ２２を搬送フックに懸吊するための吊手５が設けられている。
【０００３】
このバッグは、上下逆様にして下辺を開いて中に洗濯物を収容し、紐２１を引っ張って下辺の開口を閉じ、必要があれば引き出した紐を結んで搬送途中で紐が緩むのを防止したうえ、吊手５を搬送フックに懸吊して搬送する。洗濯物の投入位置にきたら、紐２１を緩めて下辺の開口を開き、バッグ内の洗濯物を自重により落下させて洗濯機等に投入する。
【０００４】
【発明が解決しようとする課題】
洗濯物がホテルや旅館のリネン製品のように、あまり汚れていないものであれば問題はないが、病院等から出てくる洗濯物には、血液や汚物が付着していることがある。このような場合、従来の洗濯物搬送バッグでは、搬送途中で洗濯物から滲み出た血液や汚水がバッグの下辺を濡らしていることがあり、バッグを開ける作業を行っている作業者に病気を感染させる危険があり、また作業者に非常な不快感を与える。
【０００５】
またこのような非常に汚れた洗濯物を搬送したバッグは、バッグ自体も洗濯する必要があるが、袋状になっているため内部が充分洗浄されず、一度洗濯したものを裏返しにしてさらに洗濯しなければならない等の面倒があった。
【０００６】
この発明は、このような問題の発生に鑑みてなされたもので、洗濯物の投入位置でバッグを開く作業を容易に自動化することが可能であり、作業者がバッグを開く場合でも、洗濯物に付着した血液や汚水が作業者に付着するおそれがなく、またバッグ自体を洗濯するときに内部まで充分洗浄することが可能な、洗濯物搬送バッグを得ることを課題としている。
【０００７】
【課題を解決するための手段】
請求項１記載の洗濯物搬送バッグは、方形のシート１を三分した左右の面２、３を内折りにして打ち合わせ、その上辺４を３枚重ねで融着ないし縫着して縦長封筒状に形成され、縫着ないし融着した上辺中央部に吊手５を備え、下辺側に封筒状にしたシートを外側から結束する結束具８を備え、当該結束具を解放することによりバッグ内の洗濯物が自重により落下することを特徴とするものである。
【０００８】
請求項２記載の洗濯物搬送バッグは、方形のシート１を三分した左右の面２、３を内折りにして打ち合わせ、その上辺４を３枚重ねで融着ないし縫着して縦長封筒状に形成され、縫着ないし融着した上辺中央部に吊手５を備え、３枚重ねとなっているシートの外側の面の少なくとも一方の下辺６の中央部に下吊手１３を備え、当該下吊手を下方にして吊手５を懸吊したときにバッグ中の洗濯物が落下することを特徴とするものである。
【０００９】
請求項３記載の発明は、請求項２記載の洗濯物搬送バッグにおいて、下吊手１３が上吊手５より長い吊手であることを特徴とするものである。
【００１０】
【作用】
請求項１にかかる洗濯物搬送バッグは、上下逆様にして下辺を開き、中に洗濯物を入れ、結束具８で下辺の開口部を結束し、吊手５を搬送フック１１に懸吊する。懸吊されたバッグは、搬送フック１１の走行により、洗濯物投入位置へと搬送される。洗濯物投入位置において、作業者または機械が結束具８を解放することにより、バッグ内の洗濯物は自重により落下して、洗濯機等に投入される。その後空になったバッグは、搬送フックから解放されて落下することにより、バッグ自体も洗濯機等に投入され洗濯される。
【００１１】
内折りしたシート１の左右の面２、３は、単に打ち合わせられているだけであるが、縦長形状として上辺４を縫着ないし融着し、下辺部を結束しているので、搬送途中に打合せ部分が開いて中の洗濯物が落下するようなことはない。バッグ自体が洗濯されるときは、洗濯機内での撹拌によって打合せ部分が開いて、封筒状にしたシートの内側面も洗濯されるから、バッグを洗濯するときに裏返しにする必要がない。また結束具８を外側に設けたので、不透水性のシートまたは防水加工をしたシートを用いれば、洗濯物にたとえ血液や汚物が付着していたとしても、汚水が滲み出てくることがなく、作業者に結束具を解放させるようにしても、作業者に不快感を与えることが少なく、病気の感染等も避けることができる。
【００１２】
請求項２、３にかかる発明の洗濯物搬送バッグは、上下逆様にした状態で下辺を開いて、封筒状にしたシートの内部に洗濯物を収容し、下吊手１３を設けた側の面２、１２を外側にして下辺部を上辺側に向けて折り曲げ、上吊手５と下吊手１３とをともに搬送フックに懸吊して搬送する。搬送フックとしては、個別に解放される２個のフック１１、１４を備えたものを用い、一方のフック１１に上吊手５を、他方のフック１４に下吊手１３を懸吊する。
【００１３】
下吊手１３を上吊手５より長くした請求項３の発明によれば、上記２つのフック１１、１４を同じ高さに設けた場合でも、バッグの下辺部の折り曲げ長さを短くすることができ、洗濯物の収納量を多くすることができる。
【００１４】
搬送フックによって洗濯物投入位置に搬送されたバッグは、その位置で下吊手１３を懸吊した側のフック１４を解放することにより、下辺の折曲げ部が垂れ下がって下辺が開口し、中の洗濯物が落下して洗濯機等に投入される。その後上吊手５を懸吊したフック１１が解放され、バッグ自体も洗濯機等に投入され洗濯される。
【００１５】
バッグは、下辺部を上方に向けて折り曲げられた状態で搬送されるため、搬送中に打合せ部分が開いて中の洗濯物が落下することはない。すなわち下吊手１３を打ち合わせたシートの外側のもの（図６参照）の下辺に設けた場合には、打ち合わせたシートの外側のものを外側にして下辺部が折り曲げられるため、打ち合わせたシートの外側のものが洗濯物の重量によって上下方向に引っ張られるため、打合せ部分が開くことがない。また、下吊手１３を三分した矩形のシート１の中央の面の下辺部に設けたときは、当該面を外側にしてバッグの下辺部が折り曲げられるため、打合せ部分が内側へ包み込まれるように折り曲げられるので、この場合にも打合せ部分から洗濯物が落下することはない。
【００１６】
そして洗濯物投入位置において、下吊手１３を懸吊したフック１４を解放するのみで、バッグ内の洗濯物が投入されるから、投入作業の自動化も容易であり、作業者が投入するにしても、バッグに触れることを要しないから、例え洗濯物に付着した血液や汚水がバッグの表面に滲み出ていたとしても、作業者に不快感を与えたり、病気を感染させたりする虞がない。シートとして不透水性のシートや防水加工をしたシートを用いれば、洗濯物に大量の汚水等が付着していたとしても、搬送途中においてもそれらが滴下するおそれがない。そして、請求項１のバッグと同様に、バッグ自体が洗濯されるときは、打合せ部分が自由に開いてバッグの内部も洗浄されるので、衛生的である。
【００１７】
【実施例】
図１ないし図３は、請求項１にかかる発明の一実施例を示したものである。図３に示すように、防水加工を施した布帛からなる矩形のシート１の略三等分した左右の面２、３を同方向に折り曲げて打ち合わせ、図１に示すように、その上辺４を３枚重ねで縫着して、打合せ部分が閉鎖されていない縦長封筒状のバッグ本体を形成する。そして縫着した上辺４の中央に帯紐の両端を縫着して吊手５を設け、下辺６の稍上部の位置に基端に金具７を有する結束紐８を逢着する。図の例では、結束紐８は打ち合わせたシートの外側のもの９に縫着されている。
【００１８】
結束紐８は、バッグに収容した洗濯物に付着した血液や汚水で汚染されるおそれがない箇所、すなわちバッグの下辺６より少し上でかつバッグを形成するシートの外面側に取り付ける。図のように、結束紐８を打ち合わせたシートの外側のもの９に取り付ける構造が結束紐の汚染を避けるうえで最も好ましい。
【００１９】
このように構成された洗濯物搬送バッグ１０は、上下逆様にした状態で下辺を開いて中に洗濯物を収容し、結束紐８でバッグの下辺部分を外側から縛って結束し、結束紐の先端を金具７で止める。そして図２に示すように、吊手５をコンベアのフック１１に懸吊して搬送する。バッグが洗濯物投入位置に搬送されたら、金具７を操作して結束紐８を解放し、中の洗濯物を落下させて洗濯機等に投入する。
【００２０】
図４及び図５は、請求項２にかかる発明の一実施例を示したものである。バッグ本体は、第１実施例のものと同様に、矩形のシート１（図３参照）の三分した左右の面を折り曲げて重ね合わせ、その上辺を縫着することによって形成される。また第１実施例と同様に、逢着した上辺４の中央に吊手５が設けられている。第２実施例のものでは、三分したシートの中央の面１２の下辺中央に下吊手１３が設けられている。この下吊手１３は、上吊手５と同様に帯紐の両端を縫着して形成したものであるが、下吊手１３の両端は、シートの下辺より若干高い位置に縫着されている。これはバッグ内の洗濯物を収容して下辺部を折り曲げる際に、下吊手の基端部分が折り曲げたときに外側となるシートの下辺部を押さえて、袋口の閉鎖がより確実になるようにするためである。
【００２１】
このように構成された第２実施例のバッグは、第１実施例と同様に、上下逆様にして下辺を開きバッグ内に洗濯物を収容する。所定量の洗濯物を収容したら、下吊手１３を縫着した面を外側にして下辺部を折り曲げ、吊手５、１３をコンベアのフックに引っ掛けて懸吊する。コンベアのキャリア１５には上下２個のフックが設けられており、上フック１１に上吊手５を、下フック１４に下吊手１３を引っ掛ける。この状態でバッグ１０を洗濯物投入位置まで搬送し、投入位置で下吊手１３を下フック１４から解放することにより、バッグ内の洗濯物を自重により落下させて、洗濯機等に投入する。その後上吊手５を上フック１１から解放して、バッグ自体を落下させて洗濯機等に投入する。洗濯物を投入する洗濯機とバッグを投入する洗濯機とは、洗濯物とバッグの材質の異同により、同じである場合もあるし、異なる場合もある。
【００２２】
この第２実施例の構造の場合、バッグは搬送中その打合せ部分を内側にして折り曲げられており、収容した洗濯物の重量は、折り曲げられたときに外側となっている面１２側で保持され、打合せ部分は内側に包みこまれた状態となるので、搬送途中においてバッグの打合せ部分が開くことがない。また折り曲げたときに下になる面１２に合せ目や縫い目がないので、シート１として不透水性のシートや防水加工をしたシートを用いたとき、中の洗濯物に多量の血液や汚物が含まれていたとしても、搬送途中においてそれらがバッグから漏れ出るおそれがない。
【００２３】
図６及び図７は、請求項３にかかる発明の実施例を示したものである。この実施例のものは、第２実施例で説明した下吊手１３を、打ち合わせたシートの外側のもの２の下辺部に取り付けている。バッグを形成するシートは、三折りにする前に打ち合わせたときに外側となる面２の側辺下方を斜めに切り落として、斜めに延びる側辺１６の先端に下吊手１３の一端が縫着されるようにしている。またこの第３実施例の構造では、下吊手１３の長さを上吊手５の長さより相当に長くしてある。
【００２４】
この第３実施例のものは、バッグ内に洗濯物を収容した後、打ち合わせたシートの外側のもの（下吊手１３が取り付けられている側）を外側にして折り曲げ、図７に示すようにコンベアのキャリア１５に設けられた二つのフック１１、１４に上吊手５及び下吊手１３をそれぞれ懸吊する。この懸吊状態において、折り曲げた外側の面に上下方向の張力が加わるので、シートの打合せ部が開いて搬送中に洗濯物が落下する虞はない。また下吊手１３を長くしているので、コンベアの２個のフック１１、１４の高さをほぼ等しい高さにしても、バッグ下辺の折り曲げ長さを小さくすることができる。
【００２５】
以上の実施例においては、バッグの上辺を縫着によって閉鎖しているが、たとえば不透水性のプラスチックシートなどを用いたときは、熱融着等によってバッグの上辺を閉鎖することができる。また図ではフック１１、１４として、手で掛け外しする最も簡単な構造のフックを示しているが、引き紐を引くことによって解放されるフックや、レバーやソレノイドの操作によって解放されるフックを用いることにより、バッグ内の洗濯物の投入とバッグ自体の洗濯機等への投入とを容易に自動化することができる。
【００２６】
【発明の効果】
以上説明したこの発明により、バッグ内に収容された洗濯物の投入を、作業者の手を介さないで行うことが容易に可能な、また作業者が投入作業を行う場合でも、収容された洗濯物に付着した血液や汚水が作業者に付着するおそれのない、洗濯物搬送バッグを得ることができる。さらにこの発明の洗濯物搬送バッグは、バッグ自体を洗濯する際に、バッグを裏返しにしないでも、バッグ内部を充分洗浄することが可能で、汚れのひどい洗濯物を搬送する際のバッグとして特に好適である。
【図面の簡単な説明】
【図１】打ち合わせ部の裾を開いた状態で示す第１実施例の正面図
【図２】洗濯物を入れて吊り下げた状態で示す第１実施例の正面図
【図３】矩形のシートを３つに折り曲げる状態を示す斜視図
【図４】第２実施例の正面図
【図５】洗濯物を入れて吊り下げた状態で示す第２実施例の斜視図
【図６】第３実施例を示す正面図
【図７】洗濯物を入れて吊り下げた状態で示す第３実施例の斜視図
【図８】従来の洗濯物搬送バックを示す斜視図
【符号の説明】
１  矩形シート
２  外側に打ち合わせられた面
３  内側に打ち合わせられた面
４  上辺
５  吊手
６  下辺
８  結束紐
12  三分した中央の面
13  下吊手
【図１】
0003675918.tif 000002
【図２】
0003675918.tif 000003
【図３】
0003675918.tif 000004
【図４】
0003675918.tif 000005
【図５】
0003675918.tif 000006
【図６】
0003675918.tif 000007
【図７】
0003675918.tif 000008
【図８】
0003675918.tif 000009